(57)【特許請求の範囲】
【請求項１】
上平面から下部に向かって堰堤が形成され、その堰堤に囲まれた内部の上平面部に多数の貫通穴を有する土壌支持体と、該土壌支持体の堰堤の外側に配置され水流出部を有する側壁を有し内部に水を蓄えることが可能な貯水槽と、該貯水槽の内部に蓄えられた水を土壌支持体の上面まで毛細管作用で移動させる毛細管給水機構とで構成し、土壌支持体の上面から注入された水が土壌支持体に設けられた堰堤の下部を通過して貯水槽側壁上部に設けられた水流出部から溢流するようにするとともに、貯水槽に蓄えられた水を土壌支持体上面まで毛細管作用で移動させるようにしたことを特徴とする植栽ベース。
【請求項２】
土壌支持体の上面から貯水槽の内部表面まで到達する複数の支持足を土壌支持体に設けたことを特徴とする請求項１記載の植栽ベース。
【請求項３】
土壌支持体の上面に貫通穴を設けこの穴に毛細管給水機構を嵌装したことを特徴とする請求項１記載の植栽ベース。
【請求項４】
貯水槽の側面壁に、該貯水槽の底面から上端面まで複数の細い溝を設けることにより毛細管吸水機構としたことを特徴とする請求項１記載の植栽ベース。
【請求項５】
土壌支持体の堰堤面に、土壌支持体の底部から上端面まで複数の細い溝を設けることにより毛細管吸水機構としたことを特徴とする請求項１記載の植栽ベース。
【請求項６】
毛細管作用を有する多孔質セラミック製のブロックで土壌支持体を作成することにより毛細管給水機構としたことを特徴とする請求項１記載の植栽ベース。
【発明の詳細な説明】
【技術分野】
【０００１】本発明は、花卉等の植物を鉢栽培するとき、あるいは屋上緑化するときに用い、植物が植栽されている培養土の下に設置され、植物と培養土全体を支える植栽ベースの構造に関するものである。
【背景技術】
【０００２】鉢植えや、屋上緑化などの、人工的な土壌環境のなかで植物を栽培するには、植栽された植物への給水の管理が一番重要となる、給水不足では水切れになり植物枯れるし、根を水に長時間浸漬状態にしておくと根腐れが生じ、生育が悪くなる等の問題がある。【０００３】この問題を解消するために、植木鉢、人工土壌等の下部に貯水槽を設置し、貯水槽の水を毛細管現象を利用して、植栽された植物の毛根部に給水する底面給水装置が提案されている。【０００４】この構造だと、植栽ベースの上面から新しい水を給水したときに、貯水槽に残っている古い水に新しい水が追加されるため、水の入れ替えが行われず、貯水槽に貯められた水が傷たんで、腐敗することとなるので、定期的に貯水槽を清掃しなければならなかった。
【先行技術文献】
【特許文献】
【０００５】
【特許文献１】特許第３６４７７８０号特許公報
【特許文献２】特許第４３０３５０４号特許公報
【特許文献３】特開２００３−７０３４４公開特許公報
【発明の概要】
【発明が解決しようとする課題】
【０００６】解決しようとする課題は、特殊な装置とか、別置きの給水タンク等を用いるのではではなく、給水の頻度を減らし、給水管理の煩わしさを解消するとともに、水資源を有効に活用することにある。
【課題を解決するための手段】
【０００７】植物が植栽される培養土が搭載された土壌支持体と、水を蓄えている貯水槽とで構成した植栽ベースにおいて、土壌支持体の下面に堰堤を配設し、その堰堤の端部には水抜き穴を、貯水槽の外周壁面の上部にも水抜き穴を設けて、土壌支持体の上面から注入された水が土壌支持体に設けられた堰堤の下部の水抜き穴を通過して貯水槽側壁上部に設けられた水抜き穴から溢流するようにするとともに、毛細管給水機構により貯水槽に蓄えられた水を培養土まで移動させるようにしたことを最も主要な特徴とする。
【発明の効果】
【０００８】植物の根は呼吸しているので培養土には通気性と透水性が要求されます、したがって植物の毛根全体が２４時間ずっと水に浸った状態になると、根が酸欠状態になり、根が腐って植物は枯れてしまいます。
本発明の植栽ベースを用いれば、給水管理の手間が減るだけでなく、植物への灌水時には新しい水が貯留槽に滞留している古い水を押し出し、貯留される水が絶えず新鮮な水に置き換えられるので、雑菌の繁殖による根腐れを防止でき、また植物の根と貯留水面との間には空気層が形成されるので、不必要な根の成長が押えられます。【０００９】さらに植物に灌水したときに、培養土に保水されずに培養土から無駄に流出していた水が貯水槽に蓄えられることとなるため水資源が有効活用されます。
【図面の簡単な説明】
【００１０】
【図１】本発明の植栽ベースの平面図
【図２】図１の植栽ベースのＡ−Ａ断面図
【図３】土壌支持体の斜視図
【図４】貯水槽の斜視図
【図５】土壌支持体の他の実施例の斜視図
【図６】図５の土壌支持体のＥ部の拡大図
【図７】本発明の植栽ベースを複数台設置して屋上緑化した実施例の分解斜視図
【図８】本発明の植栽ベースを植木鉢に適用して植栽した実施例の断面図
【図９】植木鉢に適用した植栽ベースの平面図
【図１０】図９の植栽ベースのＢ−Ｂ断面図
【発明を実施するための形態】
【実施例１】
【００１１】図１は本発明の１実施例の平面図、図２は図１のＡ−Ａ断面図であって、植栽ベース１は貯水槽２と土壌支持体３と毛細管給水体４とで構成され、貯水槽２の内部の底面に土壌支持体３が載せられ、貯水槽２の内部には貯水槽２の底面から土壌支持体３の上面まで毛細管給水体４が配置されている。【００１２】土壌支持体３は図３で示すように上平面部に直径２ｍｍから１０ｍｍの丸、または矩形状の貫通穴５が多数穿設され、上平面部下面から下方に向けて堰堤６ａ、６ｂが形成されており、堰堤の下端部には水抜き穴７ａ、７ｂがある。【００１３】貯水槽２は図４に示すように上面が解放された箱であり、貯水槽２の壁面８ａ、８ｂの上端部には水抜き穴９ａ、９ｂが設けられている。【００１４】図２を用いて本発明の作用を説明する。植栽ベース上に植栽された植物に散水すると、土壌に保水されない余剰の水は土壌支持体３の上面部に到達し、土壌支持体３上面部に穿設された多数の貫通穴５から貯水槽２に落下する。
落下してきた水滴で貯水槽２の水位が上昇すると、貯水槽２に残留していた水は土壌支持体３の堰堤部６ａ，ｂの下部に設けられた水抜き穴７ａ、７ｂ、を通過して土壌支持体３の堰堤６ａ，ｂの外側と貯水槽２の側壁８ａ，ｂとの空隙に移動させられる、さらに水が増えると貯水槽２の上部の水抜き穴９ａ、９ｂから外部に溢流される。
この水の流れにより貯水槽２に滞留していた古い水が排出され、新しい水に置き換えられるので、水が腐敗したり、汚れたりすることがなく、植栽ベース１上の培養土に植栽された植物は根腐を生じない。【００１５】貯水槽２内部に滞留している水は毛細管給水体４の毛細管力で土壌支持体３の上面まで移動し上部に設置された培養土に水分を供給する。【００１６】図５は土壌支持体３の他の実施例、図６は図５のＥ部の拡大図である、この土壌支持体３の堰堤６ａ、６ｂには図６に示すような細いスリット２５が堰堤の下端部から土壌支持体２の上面部まで多数設けられ、このスリット２５が表面張力の作用で水を吸い上げ、毛細管給水体としての働きをしている。
また、図５の土壌支持体の例では芝生に人が載って運動しても壊れない強度を確保するために土壌支持体下部に支持足２４が設けられています。【００１７】図７は屋上に本発明の植栽ベース１を複数台設置して芝生を植栽した実施例の分解斜視図である。本発明の植栽ベース１を複数台並べ、その植栽ベース１の間には貯水槽２の水抜き穴９から溢流された水を一定場所に集めるための排水樋１０を設置してある。
植栽ベース１の上面には、水耕栽培や底面給水装置等で使用されている毛細管作用を有する不織布等で出来ている灌水マット１１を敷きその上に培養土１２を盛り付けて芝生１３が植栽されている。【００１８】芝生１３が培養土１２から水分を吸収して大気中に水分を蒸散するなどの作用により培養土１２が乾燥すると毛細管給水体４が毛細管力により貯水槽３に貯留されている水を灌水マット１１まで吸い上げ、灌水マット１１を浸潤する。
灌水マット１１が濡れると培養土１２も浸潤されるので芝生１３が生育するのに必要な水分が供給されることとなる。【００１９】毛細管給水体４は図２で示すような形ではなく、特開２００３−７０３４４植栽ブロックに記載されているような毛細管作用を有する多孔質セラミック製のブロックで土壌支持体を作成することにより、毛細管給水体としての機能をもたせてもよい。
【実施例２】
【００２０】図８は本発明の植栽ベース１を植木鉢１４に適用して植栽した実施例の断面図。
本発明の植栽ベース１を植木鉢１４の鉢底に置きその上に灌水マット、または腐葉土、またはピートモスなどの毛細管力を有する園芸資材１５を置き、その上に培養土１６を入れて植栽している。【００２１】一般的に植物を鉢植えする場合は、鉢底に多孔質の石を敷きその上に培養土をいれて植栽するが、これは通気性と排水性を確保しつつ、培養土が植木鉢から流出しないようにするためである。
植木鉢では培養土の部分でしか保水していないので保水量はわずかである、このため植物への灌水は毎日のように行わなければならない。
本発明の植栽ベースを鉢底石の代わりに使用すると植物への灌水時に、水が貯水槽に蓄えられるので、給水管理の手間が減り、水資源が有効使用されることとなる。また植物への灌水時に貯水槽に滞留していた古い水が排出され、新しい水が蓄えられることとなるので根腐れの心配もなくなる。【００２２】図９は植木鉢に適用した植栽ベース１の平面図、図１０は図９のＢ−Ｂ断面図である。
本実施例では、鉢植えで使用しやすいように、円盤状に作られている。
土壌支持体１７の堰堤１８は円筒形状で、上面に貫通穴２１が下部に水抜き穴２３が設けられている。
貯水槽１９上端部に水抜き穴２２が、内面には数か所、スリット状の毛細管給水体２０が形成されている。
【符号の説明】
【００２３】１  植栽ベース
２  貯水槽
３  土壌支持体
４  毛細管給水体
５  貫通穴
６ａ，ｂ  堰堤
７ａ，ｂ  水抜き穴
８ａ，ｂ  側壁
９ａ，ｂ  水抜き穴
１０  排水樋
１１  灌水マット
１２  培養土
１３  芝生
１４  植木鉢
１５  園芸資材
１６  培養土
１７  土壌支持体
１８  堰堤
１９  貯水槽
２０  スリット状の毛細管給水体
２１  貫通穴
２２  水抜き穴
２３  水抜き穴
２４  支持足
２５  スリット
【図１】
0005283024.tif 000002
【図２】
0005283024.tif 000003
【図３】
0005283024.tif 000004
【図４】
0005283024.tif 000005
【図５】
0005283024.tif 000006
【図６】
0005283024.tif 000007
【図７】
0005283024.tif 000008
【図８】
0005283024.tif 000009
【図９】
0005283024.tif 000010
【図１０】
0005283024.tif 000011